(57)【要約】【課題】  外国人観光客等が外貨により安心して買い物をすることができる精算システムを提供する。【解決手段】  精算システム１は、ＰＯＳレジスタ１０と、外貨を使用するための外貨入金機２０とで構成される。ＰＯＳレジスタ１０は、顧客が購入した品の購入金額を内貨の金額で記憶する購入金額記憶部１０ａを備える。外貨入金機２０は、顧客が外貨を入金する入金部２０ａと、入金部２０ａから入金された外貨を現在の為替レートに基づいて内貨の金額に変換するレート変換部２０ｂと、ＰＯＳレジスタ１０の購入金額記憶部１０ａに記憶された顧客の購入金額が入力される購入金額入力部２０ｄと、レート変換部２０ｂで変換された内貨の金額から購入金額入力部２０ｄに入力された購入金額を差し引いて釣り銭を算出する精算部２０ｃと、精算部２０ｃで算出された釣り銭の金額を顧客が利用可能な内貨の電子マネーとして記憶媒体に記憶する記憶部２０ｅと、を備える。【選択図】  図３
2018005798.tif 000002
【特許請求の範囲】
【請求項１】
レジスタと、外貨を使用するための外貨入金機と、からなる精算システムであって、
前記レジスタは、顧客が購入した品の購入金額を内貨の金額で記憶する購入金額記憶部を備え、
前記外貨入金機は、
前記顧客が外貨を入金する入金部と、
前記入金部から入金された外貨を、現在の為替レートに基づいて前記内貨の金額に変換するレート変換部と、
前記購入金額記憶部に記憶された前記顧客の購入金額を入力される購入金額入力部と、
前記レート変換部で変換された前記内貨の金額から、前記購入金額入力部に入力された前記購入金額を差し引いて釣り銭を算出する精算部と、
前記精算部で算出された釣り銭の金額を前記顧客が利用可能な内貨の電子マネーとして記憶媒体に記憶する記憶部と、を備えていることを特徴とする精算システム。
【請求項２】
請求項１に記載の精算システムにおいて、
前記外貨入金機は、
前記入金部から入金された外貨の合計金額を算出する入金合計金額算出部と、
前記合計金額が前記顧客の購入金額に到達したか否かを判定する判定部と、
前記判定部によって、前記合計金額が前記顧客の購入金額に到達していないと判定された場合に、前記顧客に外貨の入金を指示する入金指示部と、を備えていることを特徴とする精算システム。
【請求項３】
請求項１又は２に記載の精算システムにおいて、
前記外貨入金機は、前記電子マネーが利用されたときに更新される更新情報を受けて、前記記憶部に記憶された釣り銭の金額を管理する金額管理部を備え、
前記記憶部は、前記釣り銭の金額が記録された金額ファイルを備え、
前記金額管理部は、前記電子マネーが増減した場合に前記金額ファイルを更新することを特徴とする精算システム。
【請求項４】
請求項１〜３の何れか１項に記載の精算システムにおいて、
前記記憶媒体は、前記顧客が携帯可能な磁気カード又は半導体メモリであることを特徴とする精算システム。
【請求項５】
請求項１〜３の何れか１項に記載の精算システムにおいて、
前記外貨入金機は、前記顧客の指紋、指若しくは掌の静脈又は虹採を識別する顧客識別手段を備え、
前記記憶媒体は、前記顧客識別手段によって識別された顧客識別情報と共に、前記電子マネーを記憶する記憶媒体であることを特徴とする精算システム。
【請求項６】
請求項１〜５の何れか１項に記載の精算システムにおいて、
前記外貨入金機は、前記釣り銭を前記レジスタで現金で受け取るか、前記電子マネーとして前記記憶媒体に記憶させるかの選択が可能な受取選択部を備えていることを特徴とする精算システム。
【発明の詳細な説明】
【技術分野】
【０００１】
本発明は、外国人観光客等が外貨により買い物をするための外貨入金機を備える精算システムに関する。
【背景技術】
【０００２】
外国人観光客が日本で買い物をする場合、まず、その国の貨幣（外貨）を日本円に両替する必要がある。しかし、両替所はどこにでもあるものではないので、外国人観光客は予め多めに外貨を両替しておくか、クレジットカードやデビットカード等で買い物をするしかなかった。
【０００３】
近年、外国人観光客が多く訪れる観光地やショッピングモールにて、外貨両替機の設置が始まり、両替機の稼働時間であれば、両替が容易に行えるようになっている。また、外貨により直接支払いが行える精算機も登場している。
【０００４】
例えば、特許文献１のレジ精算システムでは、キャッシュレジスタに国内貨幣入出金機の他、外国貨幣入金機が設けられている。顧客が商品を外貨で購入する場合、キャッシュレジスタは、この貨幣額に為替レート記憶部に記憶した為替レートを乗算し、内貨に換算する。そして、換算した内貨に基づいて釣り銭額を算出し、紙幣入出金機及び硬貨入出金機に出金指令を出し、紙幣出金口及び硬貨出金口に釣り銭が出金される（段落００５１，００５２）。
【先行技術文献】
【特許文献】
【０００５】
【特許文献１】特開平１１−３０６４４３号公報
【発明の概要】
【発明が解決しようとする課題】
【０００６】
しかしながら、外貨で支払いを行う場合には、内貨の額を上回る外貨をキャッシュレジスタに入金する必要がある。特許文献１のレジ精算システムでは、釣り銭額を内貨で出金できるが、買い物をする度に小銭が増えて、持ち運びに苦労するという問題が生じうる。
【０００７】
本発明は、このような事情に鑑みてなされたものであり、外国人観光客が外貨により安心して買い物をすることができる精算システムを提供することを目的とする。
【課題を解決するための手段】
【０００８】
本発明の精算システムは、レジスタと、外貨を使用するための外貨入金機と、からなる精算システムであって、前記レジスタは、顧客が購入した品の購入金額を内貨の金額で記憶する購入金額記憶部を備え、前記外貨入金機は、前記顧客が外貨を入金する入金部と、前記入金部から入金された外貨を、現在の為替レートに基づいて前記内貨の金額に変換するレート変換部と、前記購入金額記憶部に記憶された前記顧客の購入金額を入力される購入金額入力部と、前記レート変換部で変換された前記内貨の金額から、前記購入金額入力部に入力された前記購入金額を差し引いて釣り銭を算出する精算部と、前記精算部で算出された釣り銭の金額を前記顧客が利用可能な内貨の電子マネーとして記憶媒体に記憶する記憶部と、を備えていることを特徴とする。
【０００９】
本発明によれば、例えば、海外から訪問した顧客が、日本で外貨により買い物をした場合、まず、レジスタの購入金額記憶部に購入した品の購入金額が記憶される。その後、顧客が外貨入金機の入金部から外貨を入金すると、入金された外貨は、レート変換部にて現在の為替レートに基づいて内貨の金額（円）に変換される。
【００１０】
外貨入金機の精算部は、前記内貨の金額からレジスタに記憶された購入金額を差し引くことで、今回の買い物により生じた釣り銭を算出する。ここで、釣り銭は小銭となることが多いため、外貨入金機の記憶部は、釣り銭の金額を内貨の電子マネーとして記憶媒体に記憶して、後に顧客が使用できるようにする。これにより、顧客が外国で容易に買い物を行うことができ、買い物により生じた小銭を持ち運ぶ必要もなくなる。
【００１１】
本発明の精算システムにおいて、前記外貨入金機は、前記入金部から入金された外貨の合計金額を算出する入金合計金額算出部と、前記合計金額が前記顧客の購入金額に到達したか否かを判定する判定部と、前記判定部によって、前記合計金額が前記顧客の購入金額に到達していないと判定された場合に、前記顧客に外貨の入金を指示する入金指示部と、を備えていることが好ましい。
【００１２】
この構成によれば、外貨入金機の判定部は、入金された外貨の合計金額（入金合計金額）が、顧客が購入した品の購入金額に到達したか否かを判定する。入金合計金額が購入金額に到達していない場合、入金指示部は、支払いが行えるようにするため顧客に対して外貨の入金を指示する。これにより、入金合計金額が購入金額を上回って、本精算システムの購入処理が行えるようになる。
【００１３】
また、本発明の精算システムにおいて、前記外貨入金機は、前記電子マネーが利用されたときに更新される更新情報を受けて、前記記憶部に記憶された釣り銭の金額を管理する金額管理部を備え、前記記憶部は、前記釣り銭の金額が記録された金額ファイルを備え、前記金額管理部は、前記電子マネーが増減した場合に前記金額ファイルを更新することが好ましい。
【００１４】
この構成によれば、外貨入金機の金額管理部は、電子マネーが利用されたとき（チャージを含む）更新される更新情報を受けて、釣り銭の金額を管理する。記憶部には釣り銭の金額ファイルがあるので、金額管理部は、電子マネーが増減した場合に金額ファイルを更新する。これにより、顧客は、外貨入金機の表示器等により、常に最新の金額を確認することができる。
【００１５】
また、本発明の精算システムにおいて、前記記憶媒体は、前記顧客が携帯可能な磁気カード又は半導体メモリであることが好ましい。
【００１６】
本発明の記憶媒体として、釣り銭の金額を内貨の電子マネーとして記憶でき、顧客が携帯することができる磁気カードがある。例えば、公共交通機関を利用するための交通系カードに、買い物により生じた釣り銭の金額を記憶することで、外貨の両替を行わずに公共交通機関を利用することができる。また、釣り銭の金額を携帯機器の半導体メモリ（ＵＳＢやＳＤカード）に記憶しておけば、後に顧客が電子マネーによる決済をすることができる。
【００１７】
また、本発明の精算システムにおいて、前記外貨入金機は、前記顧客の指紋、指若しくは掌の静脈又は虹採を識別する顧客識別手段を備え、前記記憶媒体は、前記顧客識別手段によって識別された顧客識別情報と共に、前記電子マネーを記憶する記憶媒体であることが好ましい。
【００１８】
この構成によれば、外貨入金機に設けられた顧客識別手段は、指紋等の生体情報から顧客を識別して、識別された顧客情報と共に釣り銭の金額を記憶媒体に記憶する。電子マネーを利用するためには認証が必要となるので、勝手に電子マネーが使われてしまうような事故を防止することができる。
【００１９】
また、本発明の精算システムにおいて、前記外貨入金機は、前記釣り銭を前記レジスタで現金で受け取るか、前記電子マネーとして前記記憶媒体に記憶させるかの選択が可能な受取選択部を備えていることが好ましい。
【００２０】
精算システムが受取選択部を備えていることで、買い物による釣り銭を、その時の状況に応じて、現金で受け取ったり、電子マネーとして記憶媒体に記憶したりすることができる。
【図面の簡単な説明】
【００２１】
【図１】本発明の精算システムの概要を説明する図。
【図２】本発明の精算システムを構成する外貨入金機の斜視図。
【図３】第１実施形態の精算システムの全体構成図。
【図４】精算システムの購入処理を説明するフローチャート。
【図５】精算システムの顧客側ディスプレイの表示例。
【図６】精算システムのチャージ処理を説明するフローチャート。
【図７】第２実施形態の精算システムの全体構成図。
【発明を実施するための形態】
【００２２】
[第１実施形態]
図１は、本発明の第１実施形態に係る精算システム１の概要を示している。
【００２３】
精算システム１は、大型電気店、デパート、ショッピングモール等に設けられ、主に外国人観光客が、ドルや人民元等の外貨を日本円（内貨）に両替することなく、買い物が行えるシステムである。
【００２４】
この精算システム１は、主に、免税カウンタの機能を有するＰＯＳレジスタ１０と外貨を受け付ける外貨入金機２０とで構成され、外貨入金機２０には外付けのカードリーダ３０が備え付けられている。
【００２５】
ＰＯＳレジスタ１０は、外国人観光客が購入する商品を持ってＰＯＳレジスタ１０を訪れたとき、商品のバーコードをバーコードリーダで読み取る。
【００２６】
外貨入金機２０は、外貨による商品の支払いや外貨を内貨に両替するために、外貨の為替レートを取得する必要がある。このため、外貨入金機２０はインターネットに接続され、現在の為替レートがリモート配信されるようになっている。
【００２７】
カードリーダ３０は、小型ディスプレイと、磁気カードの挿入孔と、暗証番号等を入力するためのナンバーキーが設けられた装置である。この精算システム１では、内貨を電子マネーとして記憶できるカードが扱えればよく、非接触で書き込みや読み込みができるものであってもよい。
【００２８】
次に、図２に精算システム１を構成する外貨入金機２０の斜視図を示す。
【００２９】
外貨入金機２０は、外貨（特に、紙幣）を挿入する外貨挿入孔２１、外国人観光客（以下、顧客）に対して為替レートや両替金額、釣り銭額等を表示する顧客側ディスプレイ２２、店員が顧客の購入金額を入力又は確認する店舗側ディスプレイ２３、レシートが発行されるレシート排出孔２４等を備えている。
【００３０】
店員は、顧客が外貨で商品を購入する際、外貨入金機２０の外貨挿入孔２１から入金するように促す。また、顧客側ディスプレイ２２には、英語、中国語等による指示が順次表示される。詳細は後述するが、顧客側ディスプレイ２２はレートボードとしての機能を有するため、複数の外貨の為替レートが表示され、また、顧客が指示表示に従うことで支払いが行えるようになっている。
【００３１】
店舗側ディスプレイ２３は、店員が顧客の購入金額を確認する際に利用する。購入金額は、店員が専用のキーボードからを入力してもよいし、店舗側ディスプレイ２３がタッチパネル型液晶となっていてもよい。そして、顧客が商品の購入金額を上回る外貨を入金することで支払いが成立し、取引の内容が表示されたレシートがレシート排出孔２４から発行される。
【００３２】
なお、外貨入金機２０の内部には、貨幣鑑定機２５や外貨ボックス２６の他、図示しない貨幣カウンタやレシート用プリンタが収納されている。貨幣鑑定機２５は、外貨挿入孔２１から挿入された貨幣の真贋を高精度で判定することができる。正規の貨幣と判定された場合に、外貨入金機２０の購入処理が行われる。
【００３３】
また、貨幣鑑定機２５を通過し、貨幣カウンタで合計金額が算出された外貨は、外貨ボックス２６に収納される。外貨ボックス２６が外貨で満たされた場合には、外貨入金機２０の前面側の扉を扉キーで開けることで、空のスペアボックスに交換することができる。
【００３４】
なお、外貨ボックス２６は店舗側では開けられないようになっており、管理会社側にある専用の鍵で開けて外貨を取り出すことができる。管理会社は、外貨ボックス２６を回収する際、入金の履歴が記録された精査伝票を受け取る。管理会社は、外貨ボックス２６から外貨を取り出して、精査伝票も参照して円換算し、各通貨の買い取り手数料を差し引いた金額を店舗に振り込む。
【００３５】
次に、図３に精算システム１の全体構成図を示し、データ及び金銭の流れについて説明する。
【００３６】
顧客が、例えば、２０，０００円の商品を購入する場合、商品をＰＯＳレジスタ１０に持参する。このとき、店員は、ＰＯＳレジスタ１０のバーコードリーダで商品のバーコードを読み取る。これにより、ＰＯＳレジスタ１０の購入金額記憶部１０ａに「購入金額（Ａ）＝２０，０００（円）」のように記憶される。
【００３７】
次に、店員は、顧客に対して外貨入金機２０により、外貨による直接支払いが可能である旨を説明する。顧客が外貨入金機２０により支払いをする決定をした場合、店員は外貨入金機２０の購入金額入力部２０ｄから購入金額（Ａ）の情報を入力する。ＰＯＳレジスタ１０と外貨入金機２０がオンライン接続されている場合には、所定の操作により、購入金額記憶部１０ａから購入金額入力部２０ｄへ購入金額（Ａ）が入力されるようにしてもよい。
【００３８】
その後、顧客は、購入金額（Ａ）を上回る外貨（例えば、２００ドル）を外貨挿入孔２１から入金する。そして、外貨入金機２０の入金部２０ａを介して、レート変換部２０ｂに「外貨入金額（Ｂ）＝２００（ドル）」の情報が送信される。
【００３９】
レート変換部２０ｂは、インターネット回線４０を経由して現在の為替レートの情報を取得している。そして、外貨入金額（Ｂ）と為替レート（ここでは、１０４．０円／ドルとする）の乗算により、「入金換算額（Ｃ）＝２０，８００円」を算出する。
【００４０】
また、購入金額（Ａ）と入金換算額（Ｃ）の情報は、外貨入金機２０の精算部２０ｃに送信されるので、精算部２０ｃは、入金換算額（Ｃ）から購入金額（Ａ）を差し引いて、釣り銭額（Ｄ）を算出する。
【００４１】
その後、釣り銭額（Ｄ）の情報は外貨入金機２０の記憶部２０ｅに送信され、「釣り銭額（Ｄ）＝８００（円）」として、円貨で記憶される。図示するように、記憶部２０ｅには、釣り銭額（Ｄ）が記録された金額ファイルＦがあり、釣り銭額が更新された場合に金額ファイルＦが更新される。
【００４２】
例えば、顧客が電子マネーを使用したり、チャージした場合、その更新情報がネットワークを介して、外貨入金機２０の金額管理部２０ｆに送信される。その後、金額管理部２０ｆは、記憶部２０ｅへ金額ファイルＦを更新する信号を送信する。このように、電子マネーが利用されたとき、釣り銭額（Ｄ）の金額ファイルＦが迅速に更新されることで、顧客は、顧客側ディスプレイ２２等で、常に最新の金額を確認することができる。
【００４３】
釣り銭額（Ｄ）は記憶部２０ｅに電子マネーとして残しておいてもよいが、顧客が現金で受け取ってもよい。なお、その選択は、外貨入金機２０の受取選択部２０ｇで行なわれる。
【００４４】
最後に、顧客は、レシート排出孔２４から排出されるレシートをＰＯＳレジスタ１０に持参する。店員は、レシートを見て支払いが正常に終了したことを確認すると、今回の購入商品を引き渡す。この際、顧客が希望すれば、釣り銭額（Ｄ）を内貨で受け取ることができる。
【００４５】
これにより、外貨で商品を購入する一連の処理が終了するが、釣り銭額（Ｄ）を顧客が所有する交通系カード等に電子マネーとして記憶することもできる。この場合、受取選択部２０ｇは、釣り銭額（Ｄ）の情報をカードリーダ３０に送信する。
【００４６】
外貨入金機２０には、釣り銭額（Ｄ）を磁気カードに記憶するための外付けのカードリーダ３０が設けられている。カードリーダ３０のデータ書込部３０ａは、磁気カードＣに釣り銭額（Ｄ）を書き込む。これにより、釣り銭額（Ｄ）の８００円が磁気カードＣに電子マネーとしてチャージされるので、顧客は小銭を持ち歩く必要がなる。また、顧客は、この電子マネーにより他店で買い物をしたり、公共交通機関を利用したりすることができる。
【００４７】
なお、釣り銭額（Ｄ）を、顧客が携帯している携帯端末のメモリ、ＵＳＢ、ＳＤカード等に記憶してもよい。また、詳細は後述するが、顧客の生体情報と共に外貨入金機２０の記憶部２０ｅに記憶してもよい。
【００４８】
次に、図４を参照して、精算システム１の外貨入金機２０による購入処理のフローを説明する。また、併せて図５を参照して、顧客側ディスプレイ２２の表示例を説明する。
【００４９】
まず、外貨入金機２０により購入商品の支払いをする顧客は、顧客側ディスプレイ２２のメニュー画面から「買い物」を選択する（ステップＳ１１）。メニュー画面には、「買い物」の他、「チャージ」や「外貨両替」があるが、「チャージ」処理については後述する。その後、ステップＳ１２へ進む。
【００５０】
ステップＳ１２では、顧客側ディスプレイ２２に為替レートが表示される。図５（ａ）に示されるように、外貨入金機２０は、米ドル（ＵＳＤ）、ユーロ（ＥＵＲ）、人民元（ＣＮＹ）、ウォン（ＫＲＷ）、ポンド（ＧＢＰ）、豪ドル（ＡＵＤ）、台湾ドル（ＴＷＤ）及び香港ドル（ＨＫＤ）の８種類の為替レートが表示されるレートボードとして機能する。その後、ステップＳ１３へ進む。
【００５１】
ステップＳ１３では、顧客が購入処理のガイドをする言語を選択する。図５（ａ）に示されるように、顧客側ディスプレイ２２には、日本語、英語の他にも２カ国語（例えば、中国語と韓国語）の表示がなされている。日本語で「ご希望の言語ボタンを押してください。」との表示があるが、顧客は画面下段の「取引開始」ボタンを押すことで、以下の表示及び音声は日本語で行われるようになる。英語を選択する場合には、「TRANSACTION」を押せばよいが、以下では日本語が選択されたものとして説明する。その後、ステップＳ１４へ進む。
【００５２】
ステップＳ１４では、店員が購入金額を入力する。店員は、店舗側ディスプレイ２３にあるキーボードから顧客が購入した商品の購入金額(円)を入力する。その後、ステップＳ１５へ進む。
【００５３】
ステップＳ１５では、顧客側ディスプレイ２２及び店舗側ディスプレイ２３に購入金額が表示される。顧客側ディスプレイ２２では、図５（ｂ）の下段に示されるように、購入金額が円貨により「￥  ２０，０００」と表示される。なお、店舗側ディスプレイ２３には、店員が確認できるように同じ購入金額(円)が表示される。その後、ステップＳ１６へ進む。
【００５４】
ステップＳ１６では、顧客が外貨を入金する。例えば、顧客が米ドル（１００ドル紙幣）を外貨入金機２０の外貨挿入孔２１から挿入すると、紙幣が１枚ずつ受け付けられ、顧客側ディスプレイ２２に受け付けられた外貨の総額、現在の為替レート（取引レート）及び円換算した小計が表示される（図５（ｂ）参照）。その後、ステップＳ１７へ進む。
【００５５】
ステップＳ１７では、外貨入金機２０の貨幣カウンタ（本発明の「入金合計金額算出部」、「判定部」及び「入金指示部」に相当）の数値に基づいて、入金合計金額が購入金額以上となったか否かが判定される。入金合計金額が購入金額に満たない場合（ステップＳ１７でＮＯ）、支払いが行えないので、顧客側ディスプレイ２２（本発明の「入金指示部」に相当）において更なる入金を促す表示を行う。
【００５６】
図５（ｂ）は、顧客が１００ドル紙幣２枚を入金したときの様子を示しており、入金合計金額である小計（￥  ２０，８００）が購入金額（￥  ２０，０００）以上となっている。このとき、ステップＳ１７でＹＥＳの判定となり、ステップＳ１８へ進む。なお、図示しないが、購入金額を大きく超えた入金がなされた場合には、一部貨幣（紙幣）がリジェクトされる。
【００５７】
ステップＳ１８では、顧客側ディスプレイ２２及び店舗側ディスプレイ２３に入金合計金額、購入金額及び釣り銭額が表示される。図５（ｃ）に示されるように、顧客側ディスプレイ２２では、「レシートをお受け取り下さい。釣り銭と商品はレジにてお渡しします。」との表示と共に、円貨により入金合計金額（￥  ２０，８００）、購入金額（￥  ２０，０００）及び釣り銭額（￥  ８００）が表示される。その後、ステップＳ１９へ進む。
【００５８】
最後に、ステップＳ１９では、レシート排出孔２４からレシートが発行される。レシートには、今回の購入処理の取引日時、取引番号、通貨名、入金合計金額、為替レート、円換算額、購入金額、釣り銭額等が印刷されている。
【００５９】
その後、購入処理を終了するが、顧客はレシートをＰＯＳレジスタ１０に持参することで、購入商品及び釣り銭を受け取り、一連の取引が終了する。なお、購入処理の中で外貨が一旦入金された場合、店舗側ではその返金が行えない。このため、外貨を入金するステップＳ１６の前で、顧客側ディスプレイ２２に返金不可の同意画面を表示するようにしてもよい。
【００６０】
次に、図６を参照して、精算システム１の外貨入金機２０によるチャージ処理のフローを説明する。なお、記憶部２０ｅに釣り銭額を記憶させるのも広義のチャージであるが、ここでは、顧客が所有する磁気カードに釣り銭額を記憶する場合を説明する。
【００６１】
まず、外貨入金機２０によりチャージをする顧客は、顧客側ディスプレイ２２のメニュー画面から「チャージ」を選択する（ステップＳ２１）。その後、ステップＳ２２へ進む。
【００６２】
ステップＳ２２では、顧客がチャージ処理のガイドをする言語を選択する。これは、購入処理（図４参照）のステップＳ１２と同じで、４種類の言語の中から１つを、顧客が顧客側ディスプレイ２２に表示されたボタンを操作して選択する。その後、ステップＳ２３に進む。
【００６３】
ステップＳ２３では、顧客は、カードリーダ３０のカード挿入孔にカードを挿入する。図１に示されるように、カードリーダ３０には、顧客側の側面にカード挿入孔が設けられている。顧客は、自己の所有する磁気カードをカード挿入孔に差し込む。その後、ステップＳ２４へ進む。
【００６４】
ステップＳ２４では、顧客は、認証パスワードを入力する。カードリーダ３０の上面側には、０〜９までのナンバーキーの他、デリートキーやエンターキーが設けられている（図１参照）。例えば、顧客側ディスプレイ２２にて４桁の数字を入力する指示が行われるので、顧客は、認証パスワードの数字を入力する。その後、ステップＳ２５へ進む。
【００６５】
ステップＳ２５では、顧客が外貨を入金（又は釣り銭額を指定）する。外貨の入金は、顧客が磁気カードにチャージしたい額を外貨入金機２０に入金する必要がある。釣り銭額は、磁気カードにチャージしたい額を指定すればよく、一部は現金で受け取ることもできる。その後、ステップＳ２６へ進む。
【００６６】
ステップＳ２６では、顧客側ディスプレイ２２及び店舗側ディスプレイ２３に入金合計金額及び釣り銭額が表示される。入金合計金額と釣り銭額は、何れも円貨で表示されるため、特にステップＳ２５で外貨を入金した場合には、受け付けた外貨の総額や現在の為替レートが併せて表示される。なお、入金合計金額と釣り銭額の小計を表示してもよい。その後、ステップＳ２７へ進む。
【００６７】
ステップＳ２７では、顧客がエンターキーを操作する。すなわち、顧客が磁気カードにチャージする額を確認した後、エンターキーを押して決定する。その後、ステップＳ２８へ進む。
【００６８】
ステップＳ２８では、レシート排出孔２４からレシートが発行される。レシートには、今回のチャージ処理の処理日時、処理番号、通貨名、入金合計金額、為替レート、円換算額、釣り銭額、チャージ額等が印刷されている。これにより、顧客は、レシートによりチャージ額等を確認することができる。その後、ステップＳ２９へ進む。
【００６９】
最後に、ステップＳ２９では、顧客は、カードリーダ３０のカード挿入孔から磁気カードを排出する。これにより、チャージ処理が終了する。
【００７０】
[第２実施形態]
次に、図７に、本発明の第２実施形態における精算システム１’の全体構成図を示し、データ及び金銭の流れについて説明する。なお、顧客が商品を購入して釣り銭額（Ｄ）が記憶部２０ｅに記憶されるまでは第１実施形態と同じ処理であるので、説明を省略する。
【００７１】
第２実施形態では、釣り銭額（Ｄ）の情報が外貨入金機２０の記憶部２０ｅに送信され、「釣り銭額（Ｄ）＝８００（円）」として、円貨で記憶される際、顧客の生体情報と共に記憶される。
【００７２】
釣り銭額（Ｄ）は記憶部２０ｅに電子マネーとして残しておいてもよいし、顧客が現金で受け取ってもよいが、その選択は、外貨入金機２０の受取選択部２０ｇで行われる。顧客が釣り銭額（Ｄ）を記憶部２０ｅに残すこととした場合、受取選択部２０ｇは、生体認証装置５０（ここでは、指紋認証装置）に信号を送信する。
【００７３】
これにより、生体認証装置５０は顧客に対して指紋を要求するので、例えば、顧客側ディスプレイ２２に、「指紋リーダで指をスキャンして下さい。」等の表示が行われる。生体認証装置５０の指紋読込部５０ａは、顧客の指紋を読み込んだ後、顧客を識別する顧客識別情報を、外貨入金機２０の記憶部２０ｅに送信する。
【００７４】
記憶部２０ｅでは、その顧客識別情報と共に釣り銭額（Ｄ）を電子マネーとして記憶する。なお、顧客が電子マネーを使用したり、チャージしたりする場合には、生体認証装置５０の指紋読込部５０ａが顧客の指紋を読み込んだ後、図示しない指紋判定部で顧客を認証する。そして、顧客識別情報の照合がとれた場合にのみ、電子マネーが使用できるようになる。
【００７５】
精算システム１’を、上記のような方式とすることで、顧客が磁気カードや携帯端末を所有していない場合にも、外貨の換算額や買い物により生じた釣り銭を電子マネーとして記憶させておくことができる。磁気カードのように、紛失や盗難により電子マネーが不正に使用されてしまう心配もない。
【００７６】
ただし、顧客が電子マネーを使用することができるのは、顧客の生体情報が登録されているネットワーク端末がある加盟店に限られる。例えば、顧客の氏名やＩＤナンバーに加えて、生体情報が一致した場合に、以前チャージした電子マネーを使用することができる。
【００７７】
上記の説明は、本発明の一実施形態であり、これ以外にも種々な実施形態が考えられる。例えば、顧客の生体情報と共に、磁気カードや携帯可能なメモリに外貨の換算額や釣り銭を電子マネーとして記憶させることもできる。これにより、仮に、顧客が磁気カード等を紛失した場合にも、生体情報の照合が取れなければ、電子マネーが不正に使用されることがない。
【００７８】
磁気カードは、公共交通機関を利用するための交通系カードの他、コンビニエンスストアや特定の商業施設で利用可能な商業系カード、共通ポイントカード、マイレージカード等でもよい。また、携帯可能なメモリとしては、ＵＳＢやＳＤカードの他、おサイフケータイ機能のメモリでもよい。
【００７９】
本発明の外貨入金機２０は、通常の外貨両替機としても機能するので、例えば、日本人が海外旅行で残った外貨を日本円に両替することができる。顧客は、メニュー画面から「外貨両替」を選択し、外貨挿入孔２１から外貨を入金することで、顧客側ディスプレイ２２に為替レートや換算額が表示される。最後に、発行されたレシートをＰＯＳレジスタ１０に持参すれば、日本円を受け取ることができる。
【符号の説明】
【００８０】
１，１’  精算システム
１０  ＰＯＳレジスタ
１０ａ  購入金額記憶部
２０  外貨入金機
２０ａ  入金部
２０ｂ  レート変換部
２０ｃ  精算部
２０ｄ  購入金額入力部
２０ｅ  記憶部
２０ｆ  金額管理部
２０ｇ  受取選択部
２１  外貨挿入孔
２２  顧客側ディスプレイ
２３  店舗側ディスプレイ
２４  レシート排出孔
２５  貨幣鑑定機
２６  外貨ボックス
３０  カードリーダ
３０ａ  データ書込部
４０  インターネット回線
５０  生体認証装置
５０ａ  指紋読込部
Ｃ  磁気カード
Ｆ  金額ファイル
【図１】
2018005798.tif 000003
【図２】
2018005798.tif 000004
【図３】
2018005798.tif 000005
【図４】
2018005798.tif 000006
【図５】
2018005798.tif 000007
【図６】
2018005798.tif 000008
【図７】
2018005798.tif 000009